Podtech/llm-jp-corpus-v4-ja_patent huggingface dataset:
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
その必要がある対象動物で癌を治療するのに使用するための組成物であって、
治療有効量の４−ＰＢＡ（式Ｉの化合物）並びに／またはメトキシ−ＰＢＡ、３−ＰＰＡ、５−ＰＶＡ、ヒドロキシ−ＰＰＡ、ヒドロキシ−ＰＢＡおよびトリル−ＢＡから選択される４−ＰＢＡアナログを含む、前記組成物。
【請求項２】
当該対象動物の１つ以上の細胞が小胞体（ＥＲ）ストレス下にあり、当該１つ以上の細胞が癌細胞であってもよい、請求項１に記載の組成物。
【請求項３】
１つ以上のチェックポイント阻害剤および／または１つ以上の免疫系刺激物質と別々に、連続的にまたは同時に投与するために処方される、請求項１に記載の組成物。
【請求項４】
当該チェックポイント阻害剤がＰＤ−１、ＰＤ−Ｌ１またはＣＴＬＡ−４を標的とする、請求項３に記載の組成物。
【請求項５】
当該チェックポイント阻害剤が、イピリムマブ、ペムブロリズマブ、ニボルマブ、アテゾリズマブ、アベルマブ、デュルバルマブ、ピジリズマブ、ＡＭＰ−２２４、ＭＰＤＬ３２８０Ａ、ＭＤＸ−１１０５、ＭＥＤＩ−４７３６、アレルマブ、トレメリムマブ、ＩＭＰ３２１、ＭＧＡ２７１、ＢＭＳ−９８６０１６、リリルマブ、ウレルマブ、ＰＦ−０５０８２５６６、ＩＰＨ２１０１、ＭＥＤＩ−６４６９、ＣＰ−８７０，８９３、モガムリズマブ、バルリルマブ、ガリキシマブ、ＡＭＰ−５１４、ＡＵＮＰ  １２、インドキシモド、ＮＬＧ−９１９、ＩＮＣＢ０２４３６０（Ｉｎｃｙｔｅ）、および前記の任意の組合せはから成る群から選択される、請求項３に記載の組成物。
【請求項６】
当該免疫系刺激物質が、ナチュラルキラー細胞（ＮＫ）刺激因子、抗原提示細胞（ＡＰＣ）刺激因子、顆粒球マクロファージコロニー刺激因子（ＧＭ−ＣＳＦ）、およびトール様受容体刺激因子から成るグループから選択される１つ以上の薬剤である、請求項３に記載の組成物。
【請求項７】
当該ＮＫ刺激因子が、ＩＬ−２、ＩＬ−１５、ＩＬ−１５／ＩＬ−１５ＲＡ複合体、ＩＬ−１８およびＩＬ−１２から成る群から選択され、または、当該ＮＫ刺激因子が、ＮＫＧ２、ＫＩＲ２ＤＬ１／Ｓ１、ＫＲＩ２ＤＬ５Ａ、ＮＫＧ２Ｄ、ＮＫｐ４６、ＮＫｐ４４およびＮＫｐ３０から成る群から選択される１つ以上の受容体を刺激する抗体である、請求項６に記載の組成物。
【請求項８】
当該ＡＰＣ刺激因子が、ＣＤ２８、誘発性共同刺激性（ＩＣＯＳ）、ＣＤ４０、ＣＤ３０、ＣＤ２７、ＯＸ−４０および４−１ＢＢから成る群から選択される、請求項６に記載の組成物。
【請求項９】
組成物の投与が、投与前の対象動物で観察されるものと比較して、当該対象動物でＧＲＰ９４細胞外レベル増加を生じる、請求項１に記載の組成物。
【請求項１０】
４−ＰＢＡ（式Ｉの化合物）および／または４−ＰＢＡアナログがＣＯＰＩＩタンパク質と結合する、請求項１に記載の組成物。
【請求項１１】
その必要がある対象動物で癌免疫療法を強化するのに使用するための組成物であって、
有効量の４−ＰＢＡ（式Ｉの化合物）並びに／またはメトキシ−ＰＢＡ、３−ＰＰＡ、５−ＰＶＡ、ヒドロキシ−ＰＰＡ、ヒドロキシ−ＰＢＡおよびトリル−ＢＡから選択される４−ＰＢＡアナログを含み、
前記対象動物が、膀胱癌、乳癌、子宮頸癌、結腸癌、食道癌、子宮内膜癌、胃癌、神経膠芽腫、頭頸部癌、肝細胞癌腫、白血病、肺癌、リンパ腫、メラノーマ、メルケル細胞癌腫、多発性骨髄腫、神経芽腫、神経内分泌癌、非小細胞肺癌、卵巣癌、膵臓癌、前立腺癌、直腸癌、腎細胞癌腫、ラブドイド癌、肉腫および尿路癌から選択される癌を有すると診断されていてもよい、前記組成物。
【請求項１２】
組成物の投与が、投与前の対象動物で観察されるものと比較して、当該対象動物でＧＲＰ９４／ネオアンチゲン複合体の分泌上昇を生じる、請求項１１に記載の組成物。
【請求項１３】
当該ＧＲＰ９４／ネオアンチゲン複合体が、長さが約５から約５０アミノ酸であるネオアンチゲンペプチドを含む、請求項１２に記載の組成物。
【請求項１４】
その必要がある対象動物で、ウイルス免疫療法を強化するのに使用するための組成物であって、
有効量の４−ＰＢＡ（式Ｉの化合物）並びに／またはメトキシ−ＰＢＡ、３−ＰＰＡ、５−ＰＶＡ、ヒドロキシ−ＰＰＡ、ヒドロキシ−ＰＢＡおよびトリル−ＢＡから選択される４−ＰＢＡアナログを含む、前記組成物。
【請求項１５】
組成物の投与が、投与前の対象動物で観察されるものと比較して、当該対象動物でＧＲＰ９４／ウイルス抗原複合体の分泌上昇を生じる、請求項１４に記載の組成物。
【請求項１６】
当該対象動物が、ヒト免疫不全ウイルス（ＨＩＶ）、単純ヘルペスウイルス（ＨＳＶ）、インフルエンザウイルス、ＥＢＶ、エボラウイルス、水痘ウイルス、Ｂ型肝炎ウイルス、Ｃ型肝炎ウイルス、ＨＰＶ、麻疹ウイルス、ルブラウイルス、風疹ウイルス、ポリオウイルス、ラウス肉腫ウイルス、狂犬病ウイルスおよびロタウイルスから成る群から選択されるウイルスに感染している、請求項１４に記載の組成物。
【請求項１７】
有効量のアジュバントと投与するために処方される、請求項１４に記載の組成物。
【請求項１８】
１つ以上のチェックポイント阻害剤および／または１つ以上の免疫系刺激物質と別々に、連続的に、または同時に投与するために処方される、請求項１４に記載の組成物。
【請求項１９】
その必要がある対象動物で、１つ以上の細胞によるＧＲＰ９４の細胞外分泌を増加させるのに使用するための組成物であって、
有効量の４−ＰＢＡ（式Ｉの化合物）並びに／またはメトキシ−ＰＢＡ、３−ＰＰＡ、５−ＰＶＡ、ヒドロキシ−ＰＰＡ、ヒドロキシ−ＰＢＡおよびトリル−ＢＡから選択される４−ＰＢＡアナログを含み、当該１つ以上の細胞がＥＲストレス下の細胞である、前記組成物。
【請求項２０】
当該対象動物が癌を有するかまたは癌に罹患していると診断され、当該分泌されるＧＲＰ９４は腫瘍ネオアンチゲンと複合体を形成する、請求項１９に記載の組成物。
【請求項２１】
当該癌が、膀胱癌、乳癌、子宮頸癌、結腸癌、食道癌、子宮内膜癌、胃癌、神経膠芽腫、頭頸部癌、肝細胞癌腫、白血病、肺癌、リンパ腫、メラノーマ、メルケル細胞癌腫、多発性骨髄腫、神経芽腫、神経内分泌癌、非小細胞肺癌、卵巣癌、膵臓癌、前立腺癌、直腸癌、腎細胞癌腫、ラブドイド癌、肉腫および尿路癌である、請求項１または２０に記載の組成物。
【請求項２２】
当該対象動物がウイルスに感染しており、当該分泌されるＧＲＰ９４がウイルス抗原と複合体を形成する、請求項１９に記載の組成物。
【請求項２３】
当該ウイルスが、ヒト免疫不全ウイルス（ＨＩＶ）、単純ヘルペスウイルス（ＨＳＶ）、インフルエンザウイルス、ＥＢＶ、エボラウイルス、水痘ウイルス、Ｂ型肝炎ウイルス、Ｃ型肝炎ウイルス、ＨＰＶ、麻疹ウイルス、ルブラウイルス、風疹ウイルス、ポリオウイルス、ラウス肉腫ウイルス、狂犬病ウイルスおよびロタウイルスから成る群から選択される、請求項２２に記載の組成物。
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
式ＩＩｂの塩：
【化１】
2020520936.tif 000001
【請求項２】
結晶質であることによって特徴づけられる、請求項１に記載の式ＩＩｂの塩。
【請求項３】
約６．７、約１３．４、約２３．２、約２７．８および約２９．４  ２θにピークを含むＸＲＰＤディフラクトグラムによって特徴づけられる、請求項１または２に記載の式ＩＩｂの塩。
【請求項４】
その重量を、任意の相対湿度のような任意の湿度で約±０．２重量％以下変化させる、請求項１〜３のいずれか１項に記載の式ＩＩｂの塩。
【請求項５】
任意の相対湿度のような任意の湿度で、その結晶相を変化させない、請求項１〜４のいずれか１項に記載の式ＩＩｂの塩。
【請求項６】
相対湿度のような湿度が約０％〜約１００％、または約０％〜約９７％の範囲内であり
、および
相対湿度のような湿度が、約３０℃のような約２０℃〜約５０℃の範囲内の温度で測定される、請求項４または５に記載の式ＩＩｂの塩。
【請求項７】
１６４．１℃のような約１６３℃〜約１６５℃の融点を有し、および
３４ｍｇ／ｍＬまたは７４．１ｍｇ／ｍＬのような約３０ｍｇ／ｍＬ〜約８０ｍｇ／ｍＬの室温での水溶性を有する、請求項１〜６のいずれか１項に記載の式ＩＩｂの塩。
【請求項８】
（ｉ）フマル酸および（ｉｉ）式ＩＩの化合物：
【化２】
2020520936.tif 000002
の組み合わせであり、
（ｉ）および（ｉｉ）は１：１の比に規定されており、
式ＩＩの化合物は、ジュウテリウムのような同位体で標識されている、請求項１〜７のいずれか１項に記載の式ＩＩｂの塩。
【請求項９】
請求項１〜８のいずれか１項に記載の式ＩＩｂの塩を製造するための方法であって、
−  式Ｉの化合物：
【化３】
2020520936.tif 000003
を、少なくとも１種の溶媒の存在下で前記式Ｉの化合物を（−）−ジベンゾイル−Ｌ−酒石酸と組み合わせることによって分割し、それによって、式ＩＩａの塩：
【化４】
2020520936.tif 000004
を得る工程と、
−  場合により、式ＩＩａの塩を単離および乾燥する工程と、
−  （−）−ジベンゾイル−Ｌ−酒石酸を式ＩＩａの塩から除去し、それによって、式ＩＩの化合物：
【化５】
2020520936.tif 000005
を得る工程と、
−  式ＩＩの化合物をフマル酸と組み合わせ、それによって、式ＩＩｂの塩を得る工程とを含む前記方法。
【請求項１０】
少なくとも１種の溶媒および／または少なくとも１種のさらなる溶媒は、メタノール、エタノール、１−プロパノール、２−プロパノール、１−ブタノール、２−ブタノール、およびそれらの任意の組み合わせからなる群から選択される、請求項９に記載の方法。
【請求項１１】
式ＩＩａの塩：
【化６】
2020520936.tif 000006
【請求項１２】
請求項１〜１０のいずれか１項に記載の式ＩＩｂの塩を、
薬学的に許容される賦形剤、担体および／または希釈剤との混合物で含む医薬組成物。
【請求項１３】
治療において薬剤として使用するための、
請求項１〜１０のいずれか１項に記載の式ＩＩｂの塩。
【請求項１４】
認知症、加齢性認知障害、自閉症スペクトラム障害、ＡＤＨＤ、脳性麻痺、ハンチントン病、ジル・ドゥ・ラ・トゥレット症候群、うつ病、双極性障害、統合失調症、統合失調症様障害、全般性不安障害（ＧＡＤ）、特定の恐怖症、パニック障害、睡眠障害、双極性障害、薬物誘導性精神病性障害、医原性精神病、医原性幻覚症、非医原性精神病、非医原性幻覚症、気分障害、不安障害、うつ病、強迫性疾患、加齢に関連する情緒障害、アルツハイマー病、パーキンソン病型認知症、認知症精神行動症状、脳損傷、物質乱用、食物の誤用によって特徴づけられる障害、性障害、摂食障害、肥満、頭痛、筋緊張の増大によって特徴づけられる状態における疼痛、運動障害、パーキンソン病、パーキンソニズム、パーキンソン症候群、運動障害、Ｌ−ＤＯＰＡ誘導性運動障害、ジストニア、神経発達障害、神経変性障害、チック、振戦、レストレスレッグ、ナルコレプシー、行動障害のうちの少なくとも１つである疾患、障害および／または状態の処置および／または予防のための薬剤を製造するための、
請求項１〜１０のいずれか１項に記載の式ＩＩｂの塩、または
請求項１１に記載の式ＩＩａの塩の使用。
【請求項１５】
前記疾患、障害および／または状態はパーキンソン病型認知症、認知症精神行動症状である、請求項１４に記載の使用。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
患者に人工呼吸を施す呼吸装置（１０）の呼気配管のための呼気弁構造体（２２；１２２）であって、前記呼気弁構造体（２２；１２２）は呼気流方向（Ｅ）に貫流可能であり、
−第１の流路軌跡（Ｋ１）に沿って延伸している上流側呼吸ガス流路（５４；１５４）であって、患者から来ている前記呼気配管の一部分（４２）に接続されているか又は接続可能な前記上流側呼吸ガス流路（５４；１５４）と、
−第２の流路軌跡（Ｋ２）に沿って延伸している下流側呼吸ガス流路（５８；１５８）であって、例えば外界（Ｕ）のような呼吸ガス吸収源（Ｕ）と接続されているか又は接続可能な前記下流側呼吸ガス流路（５８；１５８）と、
−前記下流側呼吸ガス流路（５８；１５８）に対して前記上流側呼吸ガス流路（５４；１５４）内で所与の第１の呼吸ガス過圧が起こった場合に、前記上流側呼吸ガス流路（５４；１５４）から前記下流側呼吸ガス流路（５８；１５８）への呼気性の呼吸ガス流の流通を可能とするように、且つ、前記上流側呼吸ガス流路（５４；１５４）に対して前記下流側呼吸ガス流路（５８；１５８）内で所与の第２の呼吸ガス過圧が起こった場合に、前記下流側呼吸ガス流路（５８；１５８）から前記上流側呼吸ガス流路（５４；１５４）へのガス流を遮断するように、前記上流側呼吸ガス流路（５４；１５４）と前記下流側呼吸ガス流路（５８；１５８）との間に備わっている、弁体（６４；１６４）及び弁座（６６；１６６）を備える弁アセンブリ（６３；１６３）と、
を含む前記呼気弁構造体（２２；１２２）において、
前記呼気弁構造体（２２；１２２）は、バイパスチャンバ（７４；１７４）を備えており、前記バイパスチャンバ（７４；１７４）が、前記上流側呼吸ガス流路（５４；１５４）と流体力学的に連通し、ガス圧センサ（８０）を連結するために形成されており、
前記バイパスチャンバ（７４；１７４）が、前記上流側呼吸ガス流路（５４；１５４）から前記下流側呼吸ガス流路（５８；１５８）の領域へ延伸し、前記下流側呼吸ガス流路（５８；１５８）の領域でガス圧センサ（８０）を連結するために形成されていることを特徴とする呼気弁構造体（２２；１２２）。
【請求項２】
前記バイパスチャンバ（７４；１７４）を画定する壁のセンサ連結壁部分（５６ａ；１５６ａ）は、前記バイパスチャンバ（７４；１７４）の前記センサ連結壁部分（５６ａ；１５６ａ）を貫くセンサ連結開口部（８２；１８２）を備え、前記センサ連結開口部（８２；１８２）は、開口可能な封止栓（８８；１８８）によって封止されていることを特徴とする請求項１に記載の呼気弁構造体（２２；１２２）。
【請求項３】
前記封止栓（８８；１８８）は、周囲の前記センサ連結壁部分（５６ａ；１５６ａ）の材料と比べてより柔らかい材料から形成されている突き通し可能な封止膜（８４；１８４）を含むことを特徴とする請求項２に記載の呼気弁構造体（２２；１２２）。
【請求項４】
前記封止膜（８４；１８４）は、エラストマーから形成されていることを特徴とする請求項３に記載の呼気弁構造体（２２；１２２）。
【請求項５】
前記エラストマーが、天然ゴム又はシリコンゴムとされることを特徴とする請求項４に記載の呼気弁構造体（２２；１２２）。
【請求項６】
前記封止膜（８４；１８４）は、正常領域（８４ａ）と、前記正常領域（８４ａ）とは別に前記封止膜（８４；１８４）の引裂き強度が前記正常領域（８４ａ）と比べて低い材料弱化領域（８４ｂ；１８４ｂ）とを備えることを特徴とする請求項３から５のいずれか一項に記載の呼気弁構造体（２２；１２２）。
【請求項７】
前記材料弱化領域（８４ｂ；１８４ｂ）における前記封止膜（８４；１８４）の材料厚は、前記正常領域（８４ａ）よりも薄いことを特徴とする請求項６に記載の呼気弁構造体（２２；１２２）。
【請求項８】
前記材料弱化領域（８４ｂ；１８４ｂ）は、前記封止膜（８４；１８４）に所定のパターンで形成されていることを特徴とする請求項６又は７に記載の呼気弁構造体（２２；１２２）。
【請求項９】
前記下流側呼吸ガス流路を囲む壁（５６；１５６）の一部分は、前記バイパスチャンバ（７４；１７４）のセンサ連結壁部分（５６ａ；１５６ａ）を形成することを特徴とする請求項１から８のいずれか１項に記載の呼気弁構造体（２２；１２２）。
【請求項１０】
前記バイパスチャンバ（７４；１７４）は、前記下流側呼吸ガス流路（５８；１５８）内で延在することを特徴とする請求項１から９のいずれか１項に記載の呼気弁構造体（２２；１２２）。
【請求項１１】
前記バイパスチャンバ（７４；１７４）を前記下流側呼吸ガス流路（５８；１５８）から分離する分離壁（７６；１７６）は、前記下流側呼吸ガス流路（５８；１５８）を囲む壁（５６；１５６）と一体的に形成されていることを特徴とする請求項１０に記載の呼気弁構造体（２２；１２２）。
【請求項１２】
前記上流側呼吸ガス流路（５４；１５４）を囲む第１の呼気管（５２；１５２）と、前記下流側呼吸ガス流路（５８；１５８）を囲む第２の呼気管（５６；１５６）と、前記バイパスチャンバ（７４；１７４）を前記下流側呼吸ガス流路（５８；１５８）から分離する前記分離壁（７６；１７６）は、流路部材（５０；１５０）として一体的に形成されていることを特徴とする請求項１１に記載の呼気弁構造体（２２；１２２）。
【請求項１３】
前記弁体（６４；１６４）は、前記上流側呼吸ガス流路（５４；１５４）の長手端部に張設される膜弁体（６４；１６４）であり、前記弁座（６６；１６６）は、前記上流側呼吸ガス流路（５４；１５４）の長手端部に形成されていることを特徴とする請求項１から１２のいずれか１項に記載の呼気弁構造体（２２；１２２）。
【請求項１４】
膜弁体（６４；１６４）と封止膜（８４；１８４）とは、互いに対して平行な膜面を有して前記呼気弁構造体（２２；１２２）に備わっていることを特徴とする請求項３を含む請求項１３に記載の呼気弁構造体（２２；１２２）。
【請求項１５】
前記封止膜（８４；１８４）は、運転可能な状態で設けられた呼気弁構造体（２２；１２２）で、重力の作用方向（ｇ）に対して直交して設けられており、前記バイパスチャンバ（７４；１７４）から離れた方を向くその外側は、重力の作用方向（ｇ）とは逆を向いていることを特徴とする請求項１４に記載の呼気弁構造体（２２；１２２）。
【請求項１６】
呼吸ガス供給装置（１５）で患者に人工呼吸を施すための呼吸装置（１０）であって、前記呼吸ガス供給装置（１５）から吸気配管が患者呼吸インターフェース（３１）へと通じており、前記患者呼吸インターフェース（３１）からさらに、呼気配管が呼吸ガス吸収源（Ｕ）へと通じている呼吸装置（１０）において、
前記呼気配管内に、請求項１から１４のいずれか１項に記載の呼気弁構造体（２２；１２２）が備わっており、前記上流側呼吸ガス流路（５４；１５４）は、前記患者呼吸インターフェース（３１）から呼気性の呼吸ガスを移送するために、前記呼気配管の一部分（４２）によって、前記患者呼吸インターフェース（３１）と接続されていることを特徴とする呼吸装置（１０）。
【請求項１７】
前記呼吸ガス吸収源（Ｕ）が、外気（Ｕ）とされることを特徴とする請求項１６に記載の呼吸装置（１０）。
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
反応器管の中を流れる流体を処理するために入口端部及び出口端部を有する反応器管であって、前記流体を混合するために前記反応器管内には複数の格子構造が流れ方向に直列に配置されており、各格子構造が、（正）多角形の形態の流れ断面により流路に境界をつける３セットの平行パーティションからなり、隣接する格子構造の前記パーティションのセットが互いに関してオフセット及び／又は回転されている、反応器管。
【請求項２】
前記平行パーティションの各セットにおいて、隣接するパーティションが等間隔であることを特徴とする、請求項１に記載の反応器管。
【請求項３】
前記３セットの平行パーティションがいずれの場合にも１２０度の角度で交差することと、前記パーティションが正三角形の形態の流れ断面により流路に境界をつけることとを特徴とする、請求項１又は２に記載の反応器管。
【請求項４】
前記流れ方向の前記格子構造の長さが前記正三角形の辺の長さにほぼ相当することを特徴とする、請求項３に記載の反応器管。
【請求項５】
隣接する格子構造の前記パーティションのセットが、前記パーティションの１つの平面に垂直の方向に、互いに関してオフセットされていることを特徴とする、請求項１〜４のいずれか一項に記載の反応器管。
【請求項６】
隣接する格子構造の前記パーティションのセットが、互いに関して６０度の角度で回転されていることを特徴とする、請求項１〜５のいずれか一項に記載の反応器管。
【請求項７】
前記格子構造の方向付けが周期的に繰り返されることを特徴とする、請求項１〜６のいずれか一項に記載の反応器管。
【請求項８】
前記格子構造の方向付けがいずれの場合にも３つの格子構造の後に繰り返されることを特徴とする、請求項１〜７のいずれか一項に記載の反応器管。
【請求項９】
前記反応器管の三角形の高さが１〜１０ｍｍである、請求項１〜８のいずれか一項に記載の反応器管。
【請求項１０】
前記反応器管の周期的な単位長さが３〜３０ｍｍである、請求項１〜９のいずれか一項に記載の反応器管。
【請求項１１】
直列に配置された３つの格子構造のうちの２つでは、前記反応器管の中心軸が２つのパーティションの交線を通り、第３の格子構造では、前記多角形の１つの中央を通ることを特徴とする、請求項１〜１０のいずれか一項に記載の反応器管。
【請求項１２】
前記格子構造が酸化物プライマー層及び触媒層によりコーティングされていることを特徴とする、請求項１〜１１のいずれか一項に記載の反応器管。
【請求項１３】
前記プライマー層が、酸化セリウム及び酸化亜鉛を含有する混合酸化物であることを特徴とする、請求項１２に記載の反応器管。
【請求項１４】
前記触媒層がパラジウムナノ粒子を含有することを特徴とする、請求項１２又は１３に記載の反応器管。
【請求項１５】
請求項１〜１４のいずれか一項に記載の複数の反応器管を特徴とする、水素化反応器。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
電力源からの低電圧エネルギを捕捉する電力システムであって、
ＤＣバスに結合された前記電力源と、
前記ＤＣバス及びエネルギストレージデバイスに結合されたＤＣ／ＤＣ電力コンバータと、
前記ＤＣバス及びＡＣバスに結合された電力インバータと、
制御システムと、
を備え、
前記制御システムは、
前記電力源により生成される電圧を監視し、
前記電力源が第１所定閾値より大きい電圧を生成しているか否かを判定し、
前記電力源が前記第１所定閾値より大きい電圧を生成していると判定された場合に、前記電力源が第２所定閾値より小さい電圧を生成しているか否かを判定し、
前記電力源が前記第１所定閾値と前記第２所定閾値との間の電圧を生成していると判定された場合に、ＭＰＰＴモードで動作するように前記ＤＣ／ＤＣ電力コンバータを制御するとともに、前記電力源により生成されたエネルギを前記エネルギストレージデバイスにストレージし、更に、ＭＰＰＴモードで動作しないように前記電力インバータ制御し
前記電力源が前記第２所定閾値以上の電圧を生成していると判定された場合に、ＭＰＰＴモードで動作するように前記電力インバータを制御するとともに、前記電力源により生成されたエネルギを、前記ＡＣバスを介して、電力グリッドに供給し、更に、ＭＰＰＴモードで動作しないように前記ＤＣ／ＤＣ電力コンバータを制御する
ように構成された一以上のコントローラを有する
ことを特徴とする電力システム。
【請求項２】
前記第１所定閾値は、前記ＤＣ／ＤＣ電力コンバータにおける予測損失に等しいことを特徴とする請求項１に記載の電力システム。
【請求項３】
前記電力インバータは、前記電力インバータを動作させるために前記ＤＣバスが到達しなければならない電圧の大きさである起動電圧を有し、
前記第２所定閾値は、前記電力インバータの前記起動電圧と等しい
ことを特徴とする請求項１に記載の電力システム。
【請求項４】
前記電力源により生成された電圧は継続的に監視され、
前記制御システムは、ＭＰＰＴモードでの動作と、ＭＰＰＴモードではない動作との間で遷移させるために、前記ＤＣ／ＤＣ電力コンバータ及び前記電力インバータを継続敵意制御する
ことを特徴とする請求項１に記載の電力システム。
【請求項５】
前記電力源が、前記第２所定閾値より小さい電圧を生成しているか否かを判定する際に、前記制御システムは、更に、前記ＤＣバスでの電圧を監視するように構成されていることを特徴とする請求項１に記載の電力システム。
【請求項６】
前記ＤＣバスでの電圧を検知して、前記検知された電圧を前記電力システムに送信するセンサを更に備えることを特徴とする請求項５に記載の電力システム。
【手続補正書】
【提出日】令和3年4月1日(2021.4.1)
【手続補正１】
【補正対象書類名】明細書
【補正対象項目名】００２０
【補正方法】変更
【補正の内容】
【００２０】
幾つかの実施形態において、本明細書に記載の調節ＩＯＬ装置は、電気活性光学構成要素と受動光学構成要素を含み、これらは装置の分離可能な別々の部品である。このような実施形態は、従来の単体の電気活性調節移植物より小さい切開創からの移植を容易にするかもしれない。幾つかの例において、本明細書に記載の調節ＩＯＬ装置は、病変のある水晶体（例えば、白内障患者の混濁した天然の水晶体）と置換するために眼内に移植できる。他の例において、本明細書に記載の調節ＩＯＬ装置は、天然の水晶体の前にある毛様溝３２（図１に示される）の中に移植されてよい。幾つかの実施形態において、本明細書に記載の調節ＩＯＬ装置は複数の光学構成要素を含み、これらは相互に補完し合い、協働して患者の視力を向上させながらも、眼の異なる領域に移植されるように構成されてよい。幾つかの実施形態において、本明細書に記載の調節ＩＯＬ装置は、電気活性構成要素を含み、これは電気活性構成要素の縁により生じる望ましくない光学収差を軽減させるように機能する不透明なリングの中に位置付けられている。幾つかの実施形態において、本明細書に記載の実施形態は、2016年6月7日に出願された米国非仮出願(Nonprovisional Application)第15/175,106号と、2016年5月19日に出願された米国非仮出願第15/159,079号とに記載の特徴を含む。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
鉄道車両向けの雑草防除装置であって、
一続きの軌道に沿って、雑草防除措置が実行されるべき１つまたは複数の場所を特定する手段と、
特定された前記１つまたは複数の場所での雑草防除のための防除手段と、
を含み、
前記特定手段および／または前記防除手段は、鉄道車両が走行中に、走行する前記鉄道車両の移動方向と反対向きに移動するよう構成されている、ことを特徴とする装置。
【請求項２】
移動可能に設計された前記防除手段は、１つまたは複数の除草剤を塗布するための複数の噴射ノズルである、請求項１に記載の装置。
【請求項３】
移動可能に設計された前記防除手段は、複数の電極であり、前記電極は、植物と接触すると前記電流に電流を流すことが可能であり、前記電流は、少なくとも部分的に前記植物の一部を流れる、請求項１に記載の装置。
【請求項４】
移動可能に設計された前記特定手段は、画像を分析するためのコンピュータシステムへ接続された１つまたは複数のカメラである、請求項１〜３のいずれか一項に記載の装置。
【請求項５】
鉄道車両を一続きの軌道に沿って移動方向へ移動させ、
雑草防除措置が実行されるべき少なくとも一つの場所を特定し、
前記少なくとも一つの場所で前記雑草防除措置を実行する、
ステップを含み、
前記鉄道車両の前記移動中に、前記少なくとも一つの場所を特定する手段、および／または、前記少なくとも一つの場所で前記雑草防除措置を実行する防除手段が、前記鉄道車両の前記移動方向と反対へ移動する、ことを特徴とする方法。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
嫌気性消化前および／または嫌気性消化中に有機物を保持するための第１のチャンバと、嫌気性消化中に有機物を保持するための第２のチャンバとを含む嫌気性消化装置であって、前記第１のチャンバを冷蔵して、それにより、前記第１のチャンバ内のメタン生成を抑制するように構成されており、前記装置が、前記第１のチャンバを１０℃以下の温度に冷蔵し、また、前記第２のチャンバを１０℃より高い温度に加熱するように構成されている、嫌気性消化装置。
【請求項２】
前記第１のチャンバおよび／または前記第２のチャンバ内に保持される材料の体積、質量、組成、タンパク質濃度、窒素含有種の濃度、窒素濃度、炭水化物濃度、脂質濃度、脂肪酸濃度、および／またはｐＨを示す１つ以上のパラメータを測定するように構成された１つ以上のセンサを備える、請求項１に記載の嫌気性消化装置。
【請求項３】
直接的にまたは前記バッファチャンバを介して、前記第１のチャンバと前記第２のチャンバとの間に延在する導管であって、それにより、前記第１のチャンバと前記第２のチャンバとの間の有機物の移動を可能にする導管と、前記導管を介した前記第１のチャンバと前記第２のチャンバとの間の有機物の動きを調整するための流量調整手段と、前記１つ以上のセンサから前記１つ以上のパラメータの測定値を受け取り、受け取った測定値に応じて前記流量調整手段を操作することにより、前記第１のチャンバと前記第２のチャンバとの間の有機物の流れを調整するように構成されているコントローラとを更に含む、請求項２に記載の嫌気性消化装置。
【請求項４】
前記第１のチャンバにおけるタンパク質濃度、窒素含有種の濃度および／または窒素濃度を示す１つ以上のパラメータの測定値を受信し、前記第１のチャンバに１つ以上の加水分解酵素を導入するように構成されたコントローラを備え、前記第１のチャンバに導入される加水分解酵素の量は、前記１つ以上のパラメータの値に依存している、請求項２または３に記載の嫌気性消化装置。
【請求項５】
前記装置は、有機物を前記第１のチャンバから前記第２のチャンバに、および前記第２のチャンバから前記第１のチャンバに移動させ、従って、メタン生成微生物を前記第２のチャンバから前記第１のチャンバに移動させるように構成されている、請求項１〜４のいずれか一項に記載の嫌気性消化装置。
【請求項６】
前記第１のチャンバおよび／または前記第２のチャンバ内の有機物の嫌気性消化中に生成されるガスから、二酸化炭素、水素硫化物、アンモニアのうちの１つ以上を除去するように構成された１つ以上のフィルタを含むガス精製器を備える、請求項１〜５のいずれか一項に記載の嫌気性消化装置。
【請求項７】
有機物の嫌気性消化に、請求項１〜６のいずれか一項に記載の嫌気性消化装置を使用する方法であって、前記第１のチャンバで有機物を酢酸生成微生物に曝露するステップと、前記有機物の少なくとも一部を前記第１のチャンバから前記第２のチャンバに移送するステップと、前記有機物の少なくとも一部を、前記第２のチャンバ内のメタン生成微生物に曝露するステップとを含み、前記第１のチャンバを１０℃以下の温度に冷蔵し、前記第２のチャンバを１０℃より高い温度に加熱するステップを更に含む、方法。
【請求項８】
メタン生成微生物が前記第２のチャンバから前記第１のチャンバに移送されるが、前記第１のチャンバの冷蔵に起因して、メタン生成が主に前記第２のチャンバで生じるように、前記有機物の少なくとも一部を前記第２のチャンバから前記第１のチャンバに移送するステップを含む、請求項７に記載の方法。
【請求項９】
前記第１のチャンバおよび／または前記第２のチャンバおよび／またはバッファチャンバ内に保持される材料の体積、質量、組成、タンパク質濃度、窒素含有種の濃度、窒素濃度、炭水化物濃度、脂質濃度、脂肪酸濃度、および／またはｐＨを示す１つ以上のパラメータを測定する１つ以上のセンサを含み、前記コントローラが前記１つ以上のパラメータの測定値を受信し、前記コントローラが、受信された測定値に応答して、前記有機物の一部を前記第１のチャンバまたは前記バッファチャンバから前記第２のチャンバへ移送する、請求項７または８に記載の方法。
【請求項１０】
前記第１のチャンバおよび／または前記第２のチャンバ内の有機物の嫌気性消化中に生成される１つ以上のガスを濾過して、前記ガスから、二酸化物、硫化水素、アンモニアのうちの１つ以上を除去するガス精製器を含む、請求項７〜９のいずれか一項に記載の方法。
【請求項１１】
前記酢酸生成微生物はアセトバクテリウム属に属する酢酸生成細菌を含み、前記メタン生成微生物はメタノサエタ属に属するメタン生成古細菌を含み、および／または、前記酢酸生成微生物は、非病原性であり、および／または、前記メタン生成微生物は、非病原性である、請求項７〜１０のいずれか一項に記載の方法。
【請求項１２】
発酵残渣を肥料または化学製品源として使用するステップを更に含む、請求項７〜１１のいずれか一項に記載の方法。
【請求項１３】
有機物からメタンを生成する方法であって、有機物を１０℃以下の温度で酢酸生成微生物に曝露するステップと、続いて、前記有機物の少なくとも一部を、１０℃を超える温度でメタン生成微生物に曝露するステップとを含む、方法。
【請求項１４】
１０℃以下の温度で酢酸生成微生物およびメタン生成微生物の両方に有機物を曝露するステップと、続いて、前記有機物の少なくとも一部を１０℃より高い温度で前記酢酸生成微生物および前記メタン生成微生物の両方に曝露するステップとを含む、請求項１３に記載の方法。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
物理解剖学的モデルの仮想拡張を視覚化する複合現実ディスプレイと、
前記物理解剖学的モデルと仮想解剖学的モデルとの間の複合現実インタラクションを含む前記物理解剖学的モデルの前記仮想拡張の前記複合現実ディスプレイによる視覚化を、物理空間内の前記物理解剖学的モデルと仮想空間内の前記仮想解剖学的モデルとの間の空間位置合わせに基づいて、及び更に前記物理解剖学的モデルの前記仮想拡張の前記複合現実ディスプレイによる前記視覚化を操作する解剖学的ジョイスティックとして機能する前記物理解剖学的モデルに基づいて、制御する複合現実コントローラと、
を有する複合現実装置。
【請求項２】
前記物理解剖学的モデルと前記仮想解剖学的モデルとの間の前記複合現実インタラクションが、前記物理解剖学的モデル上の前記仮想解剖学的モデルの仮想インタラクティブオーバレイを含む、請求項１に記載の複合現実装置。
【請求項３】
患者生体構造の前記物理解剖学的モデルの前記仮想拡張が、前記物理解剖学的モデル及び前記仮想解剖学的モデルの少なくとも１つの仮想注釈付けを含む、請求項１に記載の複合現実装置。
【請求項４】
患者生体構造の前記物理解剖学的モデルの前記仮想拡張が、物理医療ツールと前記仮想解剖学的モデルとの間の複合現実インタラクションを含む、請求項１に記載の複合現実装置。
【請求項５】
患者生体構造の前記物理解剖学的モデルの前記仮想拡張が、前記物理解剖学的モデルと仮想医療ツールとの間の複合現実インタラクションを含む、請求項１に記載の複合現実装置。
【請求項６】
患者生体構造の前記物理解剖学的モデルの前記仮想拡張が、物理医療ツールと仮想医療ツールとの間の複合現実インタラクションを含む、請求項１に記載の複合現実装置。
【請求項７】
前記複合現実コントローラが、物理空間内の前記物理解剖学的モデルの前記仮想拡張の前記複合現実ディスプレイによる視覚化を制御するように構造的に構成される、請求項１に記載の複合現実装置。
【請求項８】
前記複合現実コントローラが、仮想空間内の前記物理解剖学的モデルの前記仮想拡張の前記複合現実ディスプレイによる視覚化を制御するように構造的に構成される、請求項１に記載の複合現実装置。
【請求項９】
物理空間内の物理解剖学的モデルと仮想空間内の仮想解剖学的モデルとの間の空間位置合わせを制御する複合現実位置合わせモジュールと、
前記物理空間内の前記物理解剖学的モデルと前記仮想空間内の前記仮想解剖学的モデルとの間の前記空間位置合わせに基づいて、及び更に前記物理解剖学的モデルの仮想拡張の複合現実ディスプレイによる視覚化を操作する解剖学的ジョイスティックとして機能する前記物理解剖学的モデルに基づいて、前記物理解剖学的モデルと前記仮想解剖学的モデルとの間の複合現実インタラクションを制御する複合現実インタラクションモジュールと、
を有する複合現実コントローラ。
【請求項１０】
前記物理解剖学的モデルと前記仮想解剖学的モデルとの間の前記複合現実インタラクションが、前記物理解剖学的モデル上の前記仮想解剖学的モデルの仮想インタラクティブオーバレイを含む、請求項９に記載の複合現実コントローラ。
【請求項１１】
前記複合現実インタラクションが、前記物理解剖学的モデル及び前記仮想解剖学的モデルの少なくとも１つの仮想注釈付けを制御する、
請求項９に記載の複合現実コントローラ。
【請求項１２】
前記複合現実位置合わせモジュールが、前記物理空間内の物理医療ツールと仮想空間内の前記仮想解剖学的モデルとの間の空間位置合わせを制御し、
前記複合現実インタラクションモジュールが、前記物理空間内の前記物理医療ツールと前記仮想空間内の前記仮想解剖学的モデルとの間の前記空間位置合わせに基づいて前記物理医療ツールと前記仮想解剖学的モデルとの間の複合現実インタラクションを制御する、
請求項９に記載の複合現実コントローラ。
【請求項１３】
前記複合現実位置合わせモジュールが、前記物理空間内の前記物理解剖学的モデルと前記仮想空間内の仮想医療ツールとの間の空間位置合わせを制御し、
前記複合現実インタラクションモジュールが、前記物理空間内の前記物理解剖学的モデルと前記仮想空間内の前記仮想医療ツールとの間の前記空間位置合わせに基づいて前記物理解剖学的モデルと前記仮想医療ツールとの間の複合現実インタラクションを制御する、
請求項９に記載の複合現実コントローラ。
【請求項１４】
前記複合現実位置合わせモジュールが、前記物理空間内の物理医療ツールと前記仮想空間内の仮想医療ツールとの間の空間位置合わせを制御し、
前記複合現実インタラクションモジュールが、前記物理空間内の前記物理医療ツールと前記仮想空間内の前記仮想医療ツールとの間の前記空間位置合わせに基づいて前記物理医療ツールと前記仮想医療ツールとの間の複合現実インタラクションを制御する、
請求項９に記載の複合現実コントローラ。
【請求項１５】
前記複合現実インタラクションモジュールが、前記物理空間又は前記仮想空間の一方内で前記物理解剖学的モデルと前記仮想解剖学的モデルとの間の前記複合現実インタラクションの視覚化を制御する、
請求項９に記載の複合現実コントローラ。
【誤訳訂正書】
【提出日】令和3年6月2日(2021.6.2)
【誤訳訂正１】
【訂正対象書類名】特許請求の範囲
【訂正対象項目名】請求項１
【訂正方法】変更
【訂正の内容】
【請求項１】
粒子を分散混入した測定体積（Ｖ）と少なくとも二つのカメラ（Ｋ１，Ｋ２，Ｋ３）とを有する光学測定装置をキャリブレーションするための方法であって、当該カメラ（Ｋ１，Ｋ２，Ｋ３）を使用することで、前記測定体積（Ｖ）が、異なる観察角度で、プレキャリブレーションから既知のそれぞれ１つのマッピング関数によってマッピング可能であり、
ａ）各カメラ（Ｋ１，Ｋ２，Ｋ３）に対するそれぞれ１つのカメラ画像（Ｉ１，Ｉ２，Ｉ３）を生成するため、前記測定体積（Ｖ）を前記カメラ（Ｋ１，Ｋ２，Ｋ３）によって同時にマッピングするステップを含む当該方法において、
ｂ）前記測定体積（Ｖ）中の共通の基準面に対する各カメラ画像（Ｉ１，Ｉ２，Ｉ３）を、当該プレキャリブレーションされたそれぞれ割り当てられたマッピング関数を使用して修正するステップと、
ｃ）対応する数の相関領域（Ｃ１２）を生成するため、修正された少なくとも一対のカメラ画像（Ｉｒ１，Ｉｒ２，Ｉｒ３）に対する二次元相関を実行し、このとき各相関領域（Ｃ１２）は、細長く形成された相関最大帯状領域を成すステップと、
ｄ）各相関領域（Ｃ１２）に対して：
ｄ１）前記相関最大帯状領域を、この相関最大帯状領域を代表する１つの直線（ｇ１２）に縮小するステップと、
ｄ２）前記相関領域（Ｃ１２）の座標原点から前記代表する１つの直線（ｇ１２）までの距離（ｄ１２）を補正値として算出するステップと、
ｅ）修正されたカメラ画像（Ｉｒ１，Ｉｒ２，Ｉｒ３）が、ステップｃでの相関に含められる前記カメラ（Ｋ１，Ｋ２，Ｋ３）のマッピング関数を、当該算出された補正値によって補正するステップとを特徴とする方法。
【誤訳訂正２】
【訂正対象書類名】特許請求の範囲
【訂正対象項目名】請求項５
【訂正方法】変更
【訂正の内容】
【請求項５】
請求項１〜４のいずれか１項に記載の方法であって、前記光学測定装置は、第一のカメラ（Ｋ１）、第二のカメラ（Ｋ２）及び第三のカメラ（Ｋ３）を有し、これらのカメラの修正されたカメラ画像のうちの前記第一のカメラ（Ｋ１）及び前記第二のカメラ（Ｋ２）の修正されたカメラ画像（Ｉｒ１，Ｉｒ２）だけが、前記ステップｃ〜ｅの相関及び補正に含められる当該方法において、
ｆ）平行な共通の複数の基準面に対して、
−前記第一のカメラ（Ｋ１）のカメラ画像（Ｉ１）と前記第二のカメラ（Ｋ２）のカメラ画像（Ｉ２）とを、ステップｅでそれぞれ割り当てられた前記マッピング関数を使用して修正する別のステップと、
−第三のカメラ（Ｋ３）のカメラ画像（Ｉ３）を、割り当てられたプレキャリブレーションされた前記マッピング関数を使用して修正する別のステップと、
ｇ）各基準面に対して、前記第一のカメラ（Ｋ１）の修正されたカメラ画像（Ｉｒ１）と前記第二のカメラ（Ｋ２）の修正されたカメラ画像（Ｉｒ２）とから成る積と前記第三のカメラ（Ｋ３）の修正されたカメラ画像（Ｉｒ３）との間の二次元相関を実行し、１つの合計相関領域を生成するため、当該生成された複数の相関領域を合計する別のステップと、
ｈ）前記合計相関領域の座標原点からこの合計相関領域内の相関最大値までの間隔を追加の補正値として算出する別のステップと、
ｉ）前記第三のカメラ（Ｋ３）のマッピング関数を、当該算出された追加の補正値によって補正する別のステップとを特徴とする方法。
【誤訳訂正３】
【訂正対象書類名】明細書
【訂正対象項目名】０００１
【訂正方法】変更
【訂正の内容】
【０００１】
本発明は、粒子を分散混入した測定体積と少なくとも二つのカメラとを有する光学測定装置をキャリブレーションするための方法に関する。当該カメラを使用することで、前記測定体積が、異なる観察角度で、プレキャリブレーションから既知のそれぞれ１つのマッピング関数によってマッピング可能であり、
ａ）各カメラに対するそれぞれ１つのカメラ画像を生成するため、前記測定体積を前記カメラによって同時にマッピングするステップを含む。
【誤訳訂正４】
【訂正対象書類名】明細書
【訂正対象項目名】００２９
【訂正方法】変更
【訂正の内容】
【００２９】
一つのそのようなカメラ配置の場合には、その座標軸に対して同一角度の相関領域に代表的な直線がある。しかしながらその結果、たしかにマッピング関数の改善は、これらの最適化で期待できない。たとえば、上述した方程式システムが多くで一義的に解決し得ない。
特に、その配置を正しく評価するために、本発明によるこの方法は排除されずに拡張され得る。
請求項１〜４のいずれか１項に記載の方法によれば、前記光学測定装置は、第一のカメラ、第二のカメラ及び第三のカメラを有し、これらのカメラの修正されたカメラ画像のうちの前記第一のカメラ及び前記第二のカメラの修正されたカメラ画像だけが、前記ステップｃ〜ｅのカメラ１及びカメラ２のマッピング方程式の相関及び補正に含められる当該方法において、
ｆ）平行な共通の複数の基準面に対して、
−前記第一のカメラのカメラ画像と前記第二のカメラのカメラ画像とを、ステップｅでそれぞれ割り当てられた前記マッピング関数を使用して修正する別のステップと、
−第三のカメラのカメラ画像を、割り当てられたプレキャリブレーションされた前記マッピング関数を使用して修正する別のステップと、
ｇ）各基準面に対して、前記第一のカメラの修正されたカメラ画像と前記第二のカメラの修正されたカメラ画像とから成る積と前記第三のカメラの修正されたカメラ画像との間の二次元相関を実行し、１つの合計相関領域を生成するため、当該生成された複数の相関領域を合計する別のステップと、
ｈ）前記合計相関領域の座標原点からこの合計相関領域内の相関最大値までの間隔を追加の補正値として算出する別のステップと、
ｉ）前記第三のカメラのマッピング関数を、当該算出された追加の補正値によって補正する別のステップとを特徴とする。
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
システムであって、
処理ユニットと、１又は２以上の処置デバイスと、ディスプレイとを備え、
前記処理ユニットは、患者に関連付けられたデータを受信し、
前記患者に対する処置を決定し、
（ｉ）該処理ユニットと通信しており、かつ（ｉｉ）前記処置を実行するように作動可能である１又は２以上の前記処置デバイスに関連付けられた制御設定値を識別し、
前記制御設定値と前記データの少なくとも１つのビューとを含むディスプレイを発生させるように構成される、ことを特徴とするシステム。
【請求項２】
前記データは、前記患者の一部分の３次元モデルを含み、
前記処理ユニットは、さらに、データソースから前記３次元モデルを受信し、
前記３次元モデルから前記少なくとも１つのビューを選択するように構成される、
ことを特徴とする請求項１に記載のシステム。
【請求項３】
前記データは、前記患者の画像を含み、前記処理ユニットは、さらに、
データソースから前記画像を受信し、
前記画像から前記患者の３次元モデルを発生させるように構成される、
ことを特徴とする請求項１又は２に記載のシステム。
【請求項４】
請求項１に記載の前記処理ユニットは、さらに、
前記患者に対する可能な処置を識別し、
前記１又は２以上の処置デバイスが前記可能な処置のいずれかを実行するように作動可能であるか否かを決定し、
前記１又は２以上の処置デバイスによって実行可能な前記可能な処置のリストを含むように前記ディスプレイを発生させるように構成される、
ことを特徴とする請求項１から請求項３のいずれか１項に記載のシステム。
【請求項５】
請求項１に記載の前記処理ユニットは、さらに、前記１又は２以上の処置デバイスから前記制御設定値を取得するように構成されることを特徴とする請求項１から請求項４のいずれか１項に記載のシステム。
【請求項６】
請求項１に記載の前記処理ユニットは、さらに、
前記１又は２以上の処置デバイスからデバイス識別子を受信し、
前記デバイス識別子をデータソースに送出し、
前記データソースから前記制御設定値を受信する、
ように構成される、
ことを特徴とする請求項１から請求項５のいずれか１項に記載のシステム。
【請求項７】
前記１又は２以上の処置デバイスは、前記処理ユニットと通信する第１の処置デバイスと、該処理ユニットと通信する第２の処置デバイスとを含み、
請求項１に記載の前記処理ユニットは、さらに、
前記第１の処置デバイスに対する第１の制御設定値と前記第２の処置デバイスに対する第２の制御設定値とを受信し、
処置を実行するために連係方式で前記第１及び第２の処置デバイスを作動させるための１又は２以上のコンピュータアプリケーションを識別する、ように構成される、
ことを特徴とする請求項１から請求項６のいずれか１項に記載のシステム。
【請求項８】
前記処理ユニットは、さらに、
前記第１及び第２の制御設定値をデータソースに送出し、
前記１又は２以上のアプリケーションを受信する、ように構成される、
ことを特徴とする請求項７に記載のシステム。
【請求項９】
前記ディスプレイの前記少なくとも１つのビューは、第２のビューとは異なる第１のビューを含み、
請求項１の前記処理ユニットは、さらに、
前記１又は２以上の処置デバイスの遠位端を前記患者内に位置決めし、
前記第１及び第２のビュー内で前記遠位端を位置付ける、ように構成される、
ことを特徴とする請求項１から請求項８のいずれか１項に記載のシステム
【請求項１０】
前記データは、前記患者の内部面の画像を含み、前記第１のビューは、該内部面を含み、
前記処理ユニットは、さらに、
前記第１のビューに描かれた前記内部面の上にグリッドを重ね、
前記グリッドによって定められた１又は２以上の区域をタグ付けし、
前記第２のビュー内で１又は２以上の区域を位置付ける、ように構成される、
ことを特徴とする請求項９に記載のシステム。
【請求項１１】
前記処理ユニットは、さらに、
該処理ユニットと通信する入力デバイスから入力を受信し、
前記入力及び前記制御設定値に従って前記１又は２以上の処置デバイスを作動させる、ように構成され、
前記入力は、聴覚信号、触覚信号、及び視覚信号のうちの少なくとも１つを含むユーザ発生信号である、
ことを特徴とする請求項１から請求項１０のいずれか１項に記載のシステム。
【請求項１２】
前記処理ユニットは、さらに、
前記患者内の物体を識別し、
前記少なくとも１つのビュー内で前記物体を位置付ける、ように構成されることを特徴とする請求項１１に記載のシステム。
【請求項１３】
請求項１に記載の前記処理ユニットは、さらに、少なくとも１つのセンサを用いて前記物体の特性を決定するように構成されることを特徴とする請求項１２に記載のシステム。
【請求項１４】
前記処理ユニットは、さらに、前記特性に基づいて前記入力又は前記制御設定値を修正するように構成されることを特徴とする請求項１３に記載のシステム。
【請求項１５】
前記処理ユニットは、さらに、前記制御設定値及び前記入力を含む１又は２以上の報告を発生させ、
前記１又は２以上の報告を出力する、ように構成されることを特徴とする請求項１から請求項１４のいずれか１項に記載のシステム。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
以下のステップ：
薄膜前駆体インクを調製するステップであって、ここで、前記薄膜前駆体インクを調製するステップは、以下のステップ：
ハロゲン化鉛を第１の溶媒と接触させて前記ハロゲン化鉛を溶解し、ハロゲン化鉛溶液を形成するステップ；
１族金属ハロゲン化物を第２の溶媒と接触させて前記１族金属ハロゲン化物を溶解し、１族金属ハロゲン化物溶液を形成するステップ；
前記ハロゲン化鉛溶液を前記１族金属ハロゲン化物溶液と接触させて前記薄膜前駆体インクを形成するステップ；
を含む、ステップと；
前記薄膜前駆体インクを基板上に堆積させるステップと；
前記薄膜前駆体インクを乾燥させて薄膜を形成するステップと；
前記薄膜をアニールするステップと；及び
前記薄膜を、第３の溶媒と、ハロゲン化メチルアンモニウム、ハロゲン化ホルムアミジニウム、ハロゲン化グアニジニウム、ハロゲン化エテンテトラミン、ハロゲン化イミダゾリウム、ハロゲン化１，２，２−トリアミノビニルアンモニウム、及び５−アミノ吉草酸ハロゲン化水素からなる群から選択される塩とを含む塩溶液で、リンスするステップと；
を含む方法。
【請求項２】
前記ハロゲン化鉛がヨウ化鉛（ＩＩ）を含む、請求項１に記載の方法。
【請求項３】
前記１族金属ハロゲン化物がヨウ化セシウムを含む、請求項１に記載の方法。
【請求項４】
前記１族金属ハロゲン化物がヨウ化ルビジウムを含む、請求項１に記載の方法。
【請求項５】
前記１族金属ハロゲン化物がヨウ化ナトリウムを含む、請求項１に記載の方法。
【請求項６】
前記１族金属ハロゲン化物がヨウ化カリウムを含む、請求項１に記載の方法。
【請求項７】
前記第１の溶媒及び前記第２の溶媒が、乾燥Ｎ−シクロヘキシル−２−ピロリドン、アルキル−２−ピロリドン、ジメチルホルムアミド（ＤＭＦ）、ジアルキルホルムアミド、ジメチルスルホキシド（ＤＭＳＯ）、メタノール、エタノール、プロパノール、ブタノール、テトラヒドロフラン、ホルムアミド、ｔｅｒｔ−ブチルピリジン、ピリジン、アルキルピリジン、ピロリジン、クロロベンゼン、ジクロロベンゼン、ジクロロメタン、クロロホルム、及びそれらの組み合わせからなる群から選択される、請求項１に記載の方法。
【請求項８】
前記第１の溶媒が乾燥ジメチルホルムアミド（ＤＭＦ）を含む、請求項１に記載の方法。
【請求項９】
前記第２の溶媒がジメチルスルホキシド（ＤＭＳＯ）を含む、請求項１に記載の方法。
【請求項１０】
前記第３の溶媒が、ジメチルホルムアミド、イソプロパノール、メタノール、エタノール、ブタノール、クロロホルム、クロロベンゼン、ジメチルスルホキシド、水、及びそれらの組み合わせからなる群から選択される、請求項１に記載の方法。
【請求項１１】
前記薄膜前駆体インクが、前記１族金属ハロゲン化物のモル濃度、すなわち前記ハロゲン化鉛のモル濃度の１％から２５％の間、を有する、請求項１に記載の方法。
【請求項１２】
前記薄膜をアニールするステップが、約４０℃から約６０℃の間の温度で約５分から約３０分間行われる、請求項１に記載の方法。
【請求項１３】
前記塩がヨウ化ホルムアミジニウムを含む、請求項１記載の方法。
【請求項１４】
前記塩がヨウ化メチルアンモニウムを含む、請求項１に記載の方法。
【請求項１５】
前記薄膜をリンスするステップは、前記塩溶液に少なくとも部分的に浸すことを含む、請求項１に記載の方法。
【請求項１６】
以下のステップ：
薄膜前駆体インクを調製するステップであって、ここで、前記薄膜前駆体インクを調製するステップは、以下のステップ：
ハロゲン化鉛及び１族金属ハロゲン化物を第１の溶媒と接触させて薄膜前駆体溶液を形成するステップ；
を含む、ステップと；
前記薄膜前駆体インクを基板上に堆積させるステップと；
前記薄膜前駆体インクを乾燥させて薄膜を形成するステップと；
前記薄膜をアニールするステップと；及び
前記薄膜を、第２の溶媒と、ハロゲン化メチルアンモニウム、ハロゲン化ホルムアミジニウム、ハロゲン化グアニジニウム、ハロゲン化エテンテトラミン、ハロゲン化イミダゾリウム、ハロゲン化１，２，２−トリアミノビニルアンモニウム、及び５−アミノ吉草酸ハロゲン化水素からなる群から選択される塩とを含む塩溶液で、リンスするステップと；
を含む方法。
【請求項１７】
第３の溶媒を前記第１の溶媒又は前記薄膜前駆体溶液と接触させることをさらに含む、請求項１６に記載の方法。
【請求項１８】
前記ハロゲン化鉛がヨウ化鉛（ＩＩ）を含み、且つ前記１族金属ハロゲン化物がヨウ化セシウムを含む、請求項１６に記載の方法。
【請求項１９】
前記ハロゲン化鉛がヨウ化鉛（ＩＩ）を含み、且つ前記１族金属ハロゲン化物がヨウ化ルビジウムを含む、請求項１６に記載の方法。
【請求項２０】
前記薄膜前駆体インクが、前記１族金属ハロゲン化物のモル濃度、すなわち前記ハロゲン化鉛のモル濃度の１％から２５％の間、を有する、請求項１６に記載の方法。